(57)【要約】【課題】  間口の狭い建物においても、デザイン性とコストメリットに優れた外壁ファサードを形成することが可能な建物を提供すること。【解決手段】  建物本体Ｈの正面から見た屋根が一側４１ａから他側４１ｂに傾斜した片屋根４０に形成された建物Ｔであって、建物本体Ｈの正面側で片屋根４０の直下に設けられた第１の外壁Ｇ１と、その第１の外壁Ｇ１よりも建物本体Ｈの奥行き方向正面側へ張り出した第２の外壁Ｇ２とを備え、第２の外壁Ｇ２は、建物本体Ｈの正面から見て矩形に形成され、第１の外壁Ｇ１および第２の外壁Ｇ２は、それぞれ鉛直な平面に形成され、第１の外壁Ｇ１と第２の外壁Ｇ２との間に水平な陸屋根４０ｂが設けられ、第２の外壁Ｇ２の一部に少なくとも１つの開口３０が設けられている構造。【選択図】      図３
2005042458.tif 000002
【特許請求の範囲】
【請求項１】
建物本体の正面から見た屋根が一側から他側に傾斜した片屋根に形成された建物であって、
前記建物本体の正面側で前記片屋根の直下に設けられた第１の外壁と、
その第１の外壁よりも前記建物本体の奥行き方向正面側へ張り出した第２の外壁とを備え、
前記第２の外壁は、前記建物本体の正面から見て矩形に形成されていることを特徴とする建物。
【請求項２】
請求項１に記載の建物において、前記第１の外壁および前記第２の外壁は、それぞれ鉛直な平面に形成され、前記第１の外壁と前記第２の外壁との間に水平な陸屋根が設けられていることを特徴とする建物。
【請求項３】
請求項２に記載の建物において、前記陸屋根の一部が前記片屋根よりも上方に位置していることを特徴とする建物。
【請求項４】
請求項１〜３の何れかに記載の建物において、前記第２の外壁の一部に少なくとも１つの開口が設けられていることを特徴とする建物。
【請求項５】
請求項４に記載の建物において、前記開口は前記建物内に連通していることを特徴とする建物。
【請求項６】
請求項１〜５の何れかに記載の建物において、前記第２の外壁の一部が異なる外壁模様に形成されていることを特徴とする建物。
【請求項７】
請求項１〜６の何れかに記載の建物において、前記第１の外壁と前記第２の外壁の間とに玄関が設けられていることを特徴とする建物。
【請求項８】
請求項１〜７の何れかに記載の建物において、前記第１の外壁の一側と前記第２の外壁の一側とが面一に形成され、前記第１の外壁の他側が前記第２の外壁の他側よりも張り出していることを特徴とする建物。
【発明の詳細な説明】
【技術分野】
【０００１】
本発明は、住宅等の建物に関し、特にデザイン性に優れた外壁ファサードを形成することが可能な建物の技術に関する。
【背景技術】
【０００２】
従来より住宅等の建物の外壁には様々な役割が備えられている。暑さ、寒さおよび風雨から建物を守るための機能や、耐久性、防犯性などが知られている。一方、近年では住宅の高級化、高品質化に加え、住宅の美観向上が強く求められている。特に、住宅の顔といわれるファサード（正面）は美観形成を行なう上で、最も重要な部分の一つであり、外壁を含めてのデザイン性に配慮することが重要な課題でもあった。
【０００３】
このような点を考慮した発明として、次のようなものがある。（例えば、特許文献１参照。）。これは、閉鎖感を生じることなく外部に対する守備感が得られ、かつ建物との一体感が得られる外構構造としたものである。
【０００４】
【特許文献１】特開２００２−００４４８６
【発明の開示】
【発明が解決しようとする課題】
【０００５】
しかしながら、狭小敷地の住宅において、デザイン性に配慮したファサードを形成する際、次のような問題点が生じていた。第１に間口が奥行きよりも狭い住宅では、間口の広い住宅と比較するとファサード部分を構成するスペースが十分に取ることができなかった。したがって、平面的な構造となってしまうことが多く、ファサードに変化を持たせることが困難であった。
【０００６】
第２に近年の住宅では、道路側に面して駐車スペースを設けることが一般的であり、上記、狭小敷地の住宅に駐車スペースを設けると、敷地が狭いために外壁を設けることができないことがある。これにより、建物全体の美観が著しく損なわれるという問題も生じていた。第３に分譲住宅においては、隣接する住宅と同じデザインであることが多く、町並み全体が単調的になってしまうという恐れもあった。したがって、狭小敷地に建築された住宅でも、デザイン性に優れたファサードを形成することが望ましい。
【０００７】
本発明は、間口の狭い建物においても、デザイン性とコストメリットに優れた外壁ファサードを形成することが可能な建物を提供することにある。
【課題を解決するための手段】
【０００８】
建物本体の正面から見た屋根が一側から他側に傾斜した片屋根に形成された建物であって、建物本体の正面側で片屋根の直下に設けられた第１の外壁と、
その第１の外壁よりも建物本体の奥行き方向正面側へ張り出した第２の外壁とを備え、第２の外壁は、建物本体の正面から見て矩形に形成されている構造とした。
【０００９】
このような本発明によれば、デザイン性に優れたファサードを形成することができる。すなわち、屋根の形状を片屋根に形成し、第１の外壁よりも奥行き方向正面側へ張り出した第２の外壁を設けることで、建物の正面となるファサードが立体的に形成され、美観を向上させることができる。また、傾斜した屋根と矩形の外壁（第２の外壁）とが組み合わされているため、ファサードが平面的にならない構造とすることができる。これにより、間口の狭い狭小敷地に建築された建物においても、ファサードデザインを格段に向上させることが可能となる。
【００１０】
前記第１の外壁および第２の外壁は、それぞれ鉛直な平面に形成され、第１の外壁と第２の外壁との間に水平な陸屋根が設けられていることが望ましい。このように形成した場合、建物に立体感および変化をもたせることができる。すなわち、第１の外壁および第２の外壁は、鉛直な平面と水平な陸屋根として形成されているため、建物を立体的な構造とすることができる。これにより、外壁に変化を持たせることが可能となる。
【００１１】
前記陸屋根の一部が片屋根よりも上方に位置していることが望ましい。このように形成した場合、デザイン性をより向上させることができる。すなわち、陸屋根の一部を片屋根よりも上方に突出して形成することにより、建物を正面から見たときの美観が向上する。
【００１２】
前記第２の外壁の一部に少なくとも１つの開口が設けられていることが望ましい。このように形成した場合、外壁の平面部分に変化を与えることができるため、デザイン性を向上させることができる。
【００１３】
前記開口は建物内に連通していることが望ましい。このようにした場合、通風機能を備えた外壁構造とすることができる。すなわち、開口が建物内に連通していることで、外部から建物内に空気を取り入れ、また、建物内から外部へと換気を行なうことが可能な構造となる。
【００１４】
前記第２の外壁の一部が異なる外壁模様に形成されていることが望ましい。このように形成した場合、外壁の平面部分に変化を与えることができるため、デザイン性を向上させることができる。
【００１５】
前記第１の外壁と第２の外壁との間に玄関が設けられていることが望ましい。このように形成した場合、ファサードのコストダウンを図ることができる。すなわち、玄関は第１の外壁と第２の外壁との間に配置されている。つまり、第１、第２の外壁が建物のファサードとなり、外部から見える重要な部分となる。これにより、第１、第２の外壁に対してのみコストを掛ければ良くなり、コストダウンを図ることが可能になる。
【００１６】
前記第１の外壁の一側と第２の外壁の一側とが面一に形成され、第１の外壁の他側が第２の外壁の他側よりも張り出していることが望ましい。このように形成した場合、建物に立体感と変化を与えることができる。すなわち、外壁の一側を面一に形成した部分と、外壁の他側を大きさに変化を与えた部分とを設けることで、立体感と変化を与えることができる。
【発明を実施するための最良の形態】
【００１７】
以下、本発明の実施の形態について、図面を参照して説明する。
図１は住宅の１階間取り図であり、図２は住宅の１階間取り図であり、図３は住宅の正面を示す正面図である。
この実施形態では、本発明を住宅に適用した例を示す。
【００１８】
これらの図において、住宅Ｔは間口よりも奥行きが広い２階建て住宅で、敷地面積は９３．１６ｍ２（約２８坪）、建築面積は４６．３７ｍ２（約１４坪）、延べ床面積は８２．８１ｍ２（約２５坪）の狭小敷地に建築された住宅である。図１に示すように、住宅Ｔの北側前面に道路１が面しており、道路１に隣接して駐車スペース２が配置されている。この駐車スペース２には車３が駐車されている。
【００１９】
住宅Ｔは複数の石畳が配置された玄関ポーチ４を抜けると、玄関５が配置されており、玄関５の正面にトイレ６が設けられている。トイレ６の南側は、リビングダイニング７ａ、キッチン７ｂが一体的に配置された居住空間７となっている。居住空間７は、キッチン７ｂが居住空間７の北側に配置され、リビングダイニング７ａが南側に配置されている。
【００２０】
居住空間７の東側の壁８ａには、奥行き方向に沿って複数の収納棚９ａが設けられている。この収納棚９ａとトイレ６の間に洗濯機スペース２０ｂが配置されている。また、南側にはテラス１０が設けられている。このテラス１０は敷地内に造園された庭１１と連続した形態となっている。さらに、テラス１０と居住空間７の間には、テラス１０の幅と同一の幅に形成された窓１２が設けられている。この窓１２は開口可能な構造であり、開口することにより居住空間７を外部と連続した開放的な空間として使用することができる。
【００２１】
居住空間７の南東側の角部に２階へと連絡する階段１３が配置されている。この階段１３はいわゆる螺旋状に形成された螺旋階段であり、上部は吹き抜け構造となっている。また、階段１３の東側に窓１４が設けられており、この窓１４は、階段１３を昇降する際に外部の景色が見えるよう配慮されている。上記、テラス１０、階段１３および窓１４を配置することにより、狭小敷地の住宅においても開放感を向上させることができる。
【００２２】
図２に示すように、住宅Ｔの２階は寝室１５ａ、１５ｂが配置されている。寝室１５ａ、１５ｂの間に配置された内壁１９から壁８ｂに向かって可動間仕切り１６が設けられている。可動間仕切り１６は４つに分割可能な構造とされ、それぞれ可動間仕切り１６ａ、１６ｂ、１６ｃ、１６ｄを備えている。この可動間仕切り１６ａ〜１６ｄは内部に収納構造を有し、また、それぞれを個別かつ自由に移動することができる。
【００２３】
本実施例においては寝室１５ａ、１５ｂを区画して設置しているが、例えば、内壁１９の両側面に２つずつ配置することにより、寝室１５ａ、１５ｂをワンフロアの開放的な空間として利用可能になる。また、壁８ｂ、８ｃおよび窓１７、１８に沿って１つずつ配置することなども考えられる。これは居住人の利用形態に応じて適宜設定可能である。
【００２４】
２階東側の壁８ｄを奥行き方向に沿って収納棚９ｂが設けられている。収納棚９ｂの北側は、水廻り一体空間となるランドリーシューター２０ａ、バスルーム２１が配置されている。ランドリーシューター２０ａは、１階の洗濯機スペース２０ｂへとダイレクトに洗濯物を送ることが可能に設計されており、女性の使い勝手を配慮した構造である。また１階に洗濯機スペース２０ｂを設置することにより、夜間の洗濯音を２階の寝室１５ａ，１５ｂまで聞こえにくくなるようにも配慮されている。
【００２５】
バスルーム２１に隣接してバルコニ２２が配置されている。バスルーム２１およびバルコニ２２は、開放的な空間を形成するために一体型に形成されており、寝室１５ｂからの出入りも可能となっている。
【００２６】
次に、図３、図８を参照して外壁Ｇ１（第１の外壁）と外壁Ｇ２（第２の外壁）の構造および住宅Ｔの屋根について説明する。住宅Ｔは北側に道路１が敷設されており、また、駐車スペース２、車３がそれぞれ配置されている。駐車スペース２の内側には外壁Ｇ２が設けられている。また、駐車スペース２および外壁Ｇ１、Ｇ２に隣接して樹木Ｊが植栽されている。
【００２７】
図に示すように、住宅Ｔの屋根は一側４１ａから他側４１ｂに傾斜した片屋根４０として形成されている。この片屋根４０の直下には外壁Ｇ１が設けられている。この外壁Ｇ１よりも建物本体Ｈの奥行き方向正面側へ張り出して外壁Ｇ２が設けられている。
【００２８】
外壁Ｇ２は、建物本体Ｈの正面から見ると長方形に形成されている。外壁Ｇ１、Ｇ２はそれぞれ鉛直な平面に形成され、外壁Ｇ１の一側Ｇ１１と外壁Ｇ２の一側Ｇ２１とが面一に形成されている。また、外壁Ｇ１の他側Ｇ１２が外壁Ｇ２の他側Ｇ２２よりも張り出して形成されている。この外壁Ｇ１と外壁Ｇ２の間には、水平な陸屋根４０ｂが設けられている（図８）。この陸屋根４０ｂの一部４０ｃは、片屋根４０よりも上方に位置するように設定されている。
【００２９】
これにより、間口の狭い狭小住宅においても、ファサードが立体的に形成され、住宅デザインを格段に向上させることができる。すなわち、屋根の形状を片屋根４０に形成し、外壁Ｇ１よりも奥行き方向正面側へ張り出した外壁Ｇ２を設けることで、建物の正面となるファサードが立体的に形成され、美観を向上させることができる。また、傾斜した屋根（片屋根４０）と長方形に形成した外壁Ｇ２とを組み合わせることで、ファサードが平面的にならない構造とすることに加え、屋根を片屋根と陸屋根の２つの形状としているため、立体感を持たせた上で、ファサードに変化を与えることが可能となる。
【００３０】
また、外壁Ｇ２を上記形態にすることで、外壁Ｇ１の内側に配置されたバルコニ２２を外部から目隠しすることができる。さらに、上述した外壁Ｇ２には複数の開口３０が設けられているため、外壁自体にアクセントが付き、より立体感を醸しだすことができる。
【００３１】
一般的にファサードは住宅の顔といわれているように、建物正面の美観向上を目的としているが、間口の広い住宅においては、建物正面以外にも住宅の外観は見えることになるので、ファサードに掛けるコストが高くなる。しかしながら、本実施例のように、狭小住宅である住宅Ｔは北側の道路１からのみ住宅の外観が見える構造であるため、ファサードに掛かるコストは外壁Ｇ２のみで十分となる。したがって、デザイン性を向上させた上でもコストダウンを図ることができる。
【００３２】
次に、図１、図３〜５を参照して外壁Ｇ２の構造について説明する。これらの図において、図３は住宅Ｔを北側から見た正面図である。建物本体Ｈに設けられた外壁Ｇ２は、厚さが約９５ｍｍの木質製パネルによって形成されており、玄関ポーチ４および玄関５付近から壁８ａに向かって間口方向に延びている。外壁Ｇ２の内側は玄関５およびトイレ６に隣接しており、外側は駐車スペース２に隣接している。
【００３３】
この外壁Ｇ２には複数の開口３０が設けられている。開口３０は、図４、５に示すように、外壁Ｇ２の外側表面部７０ａに円筒状に形成されたアルミニウム製のアルミホール３１ａが固定されている。このアルミホール３１ａには上下左右に突出し、アルミホール３１ａの中途部にフランジ３２ａが一体的に設けられている。フランジ３２ａは複数のビス穴３３ａ有し、ビス（図示しない）等によって外壁Ｇ２と固定されている。
【００３４】
アルミホール３１ａの装着方法としては、アルミホール３１ａが固定された外壁Ｇ２に対して、アルミホール３１ｂを内側表面部７０ｂから固定する。図５に示すようにアルミホール３１ａ、３１ｂの端部にはらせん状のアジャスター３４ａ、３４ｂがそれぞれ設けられており、これらを互いに連結することによってアルミホール３１ａ、３１ｂが連結される。連結後、アルミホール３１ｂのフランジ３２ｂに設けられたビス穴３３ｂに、ビス（図示しない）等によって外壁Ｇ２と固定する。
【００３５】
また、外部に突出しているアルミホール３１ａを外壁Ｇ２に固定した際、フランジ３２ａの表面部分に防水テープ３４を貼り付ける。さらに、アルミホール３１ａ、３１ｂと、外壁Ｇ２の連結部分に止水テープ３５を貼り付ける。これにより、雨などによる連結部分の腐食、居室内への浸水等を効果的に防止することができる。
【００３６】
図５からも見て分かるように、外壁Ｇ２に設けられた複数の開口３０は、住宅Ｔの玄関５と外部とを連通した形態となっており、通気口、換気口としての機能を有する。したがって、外部から居室内へ、居室内から外部へと空気循環が効率良く行なわれる。
【００３７】
次に、図６を参照して開口３０の他の形態について説明する。図６は略正方形に形成された開口５０を設置した外壁Ｇ２‘の形態を示している。なお、外壁Ｇ２‘の主要構造および配置場所等は外壁Ｇ２と同様である。この開口５０は、開口３０と同様に住宅Ｔの玄関５と外部とを連通した形態となっており、通気口、換気口としての機能を有する。さらに、開口が大きく形成されているため、外部から居室内へ、居室内から外部へと空気循環が非常に効率良く行なわれる。
【００３８】
また、図６に示す形態では外壁Ｇ１‘の表面上に縦縞模様の外壁材５０ａを貼設している。これにより、外壁Ｇ１‘と外壁Ｇ２‘とが立体的に形成されることになり、デザイン性に優れたファサードを形成することができる。
【００３９】
次に、図７を参照して外壁Ｇ２の他の形態について説明する。図７は外壁Ｇ２または外壁Ｇ２‘の一部を横縞模様に形成した例を示している。なお、外壁Ｇ２‘の主要構造および配置場所等は外壁Ｇ２と同様である。図に示すように、外壁Ｇ２“の端部６１ａから中途部まで幅方向に横縞模様の外壁材６０が設けられている。この外壁材６０は外壁Ｇ２“の表面上に貼設された化粧パネルである。
【００４０】
また、外壁Ｇ２、外壁Ｇ２‘と同様に、住宅Ｔの屋根は片屋根４０として形成され、外壁Ｇ１“と外壁Ｇ２“との間には陸屋根４０ｂが設けられている。これにより、外壁Ｇ１“と外壁Ｇ２“とが立体的に形成されることになり、デザイン性に優れたファサードを形成することができる。
【００４１】
また、分譲住宅等では隣家との住宅デザインが同一であることが多いため、町並みが平面的になってしまう恐れもあるが、本実施例による外壁構造とした場合、部分的に外壁パターンを任意に選択することができるため、統一感を保ちつつ町並み全体を変化させることが可能になる。
【００４２】
なお、上述した図３、６、７の外壁Ｇ２、Ｇ２‘、Ｇ２“のように、外壁パターンを設計者や居住者の任意に応じて容易に変更することができ、様々なバリエーションを生みだすことができる。なお、開口３０、５０の数量および形状は本実施例に限定されるものではない。開口３０においては、開口の数量の増減や形状を任意に変更することができ、開口５０においては、大きさの大小、形状および数量は問わない。また、縦縞模様に形成された外壁Ｇ１‘や横縞模様に形成された外壁Ｇ２“においても、縞模様に限定されることはない。さらに、開口３０、５０、外壁Ｇ１’および外壁Ｇ２“を組み合わせて設定することもできる。
【００４３】
また、本実施例おいては、アルミホール３１ａ、３１ｂをアルミニウム製として構成しているが、これに限定されるものではない。金属製・磁性体・木製・プラスチック製・合成樹脂等が考えられるが、材質そのものについて問うものではない。すなわち、本発明の目的は、外壁ファサードとしての機能を有し、外壁のアクセントとしてデザイン性を向上させることにある。
【産業上の利用可能性】
【００４４】
以上のように、本発明によれば、間口の狭い建物においても、デザイン性とコストメリットに優れた外壁ファサードを形成することが可能な建物を提供することができる。
【図面の簡単な説明】
【００４５】
【図１】本発明の実施形態に係る住宅の１階間取り図である。
【図２】本発明の実施形態に係る住宅の２階間取り図である。
【図３】本発明の実施の形態に係る住宅の屋根と外壁を示す正面図である。
【図４】本発明の実施の形態に係る外壁の構造を示す斜視図である。
【図５】本発明の実施の形態に係る外壁の構造を示す平面断面図である。
【図６】本発明の実施の形態に係る住宅の屋根と外壁を示す正面図である。
【図７】本発明の実施の形態に係る住宅の屋根と外壁を示す正面図である。
【図８】本発明の実施の形態に係る住宅の屋根に形状を示す平面図である。
【符号の説明】
【００４６】
１  道路
２      駐車スペース
３      車
４      玄関ポーチ
５      玄関
６      トイレ
７      居住空間
８ａ〜８ｄ  壁
９ａ、９ｂ  収納棚
１０    テラス
１１    庭
１２、１４、１７、１８  窓
１３    階段
１５ａ、１５ｂ  寝室
１６    可動間仕切り
１９    内壁
２０ａ  ランドリーシューター
２０ｂ  洗濯機スペース
２１    バスルーム
２２    バルコニ
３０、５０  開口
３１ａ、３１ｂ  アルミホール
３２ａ、３２ｂ  フランジ
３３ａ、３３ｂ  ビス穴
３４    防水テープ
３４ａ、３４ｂ  アジャスター
３５    止水テープ
４０    片屋根
４０ｂ  陸屋根
６０    外壁材
Ｇ１、Ｇ１‘、Ｇ１“、Ｇ２、Ｇ２‘、Ｇ２“  外壁
Ｈ      建物本体
Ｊ      樹木
Ｔ      住宅
Ｙ      屋根
【図１】
2005042458.tif 000003
【図２】
2005042458.tif 000004
【図３】
2005042458.tif 000005
【図４】
2005042458.tif 000006
【図５】
2005042458.tif 000007
【図６】
2005042458.tif 000008
【図７】
2005042458.tif 000009
【図８】
2005042458.tif 000010